(57)【要約】      （修正有）【課題】加工が容易で使用時の脱落を防止する外殻体及び信号線承接組立部品を含む電子コネクターの提供。【解決手段】信号線承接組立部品４０の台体４１は、両相対面上に、個別に並列に置き槽４１１が凹設されていて、並びに各該置き槽４１１の前端に、通し孔４１２が設けられている。これで信号線連接端子４２が通し孔４１２から差し込むことができるようにし、並びに置き槽４１１の中に固く嵌め込まれている。本実施例で示した信号線承接組立部品４０の台体４１は、その前端に固定突きピン４１３が突設されていて、対応的に回路板３０の固定止孔３２の中に差し込んで、台体４１を固く回路板の上に固定することができる。信号線承接組立部品４０の溶接段、信号線連接端子４２の断面をＬ字形にさせる。上記の各信号線連接端子４２はその溶接段４２１の側壁上には、つめ歯４２３が突設されていて、置き槽４１１の中に固く嵌め込まれる。【選択図】図２
0003120490.tif 000002
【実用新案登録請求の範囲】
【請求項１】
外殻体と、信号線承接組立部品とを備える電子コネクターであって、
前記外殻体は、コネクター本体が前端に取り付けられ、前記コネクター本体の後端に一枚の回路板が連接され、
前記信号線承接組立部品は、台体を有し、前記台体には多数の置き槽が凹設され、前記各置き槽の中にそれぞれ信号線連接端子が嵌め込まれ、前記各信号線連接端子の前端が個別に対応的に前記回路板の接点に溶接され、
前記台体の置き槽には、それぞれケーブル線のうちの一本の信号線がその中に置き入れられ、前記各信号線と前記置き槽の中に置かれている前記信号線連接端子とが溶接されている電子コネクター。
【請求項２】
前記信号線承接組立部品の台体の前端は、固定突きピンが突設され、対応的に前記回路板の固定止孔の中に差し込まれている請求項１記載の電子コネクター。
【請求項３】
前記ケーブル線の外囲は、一体包みでケーブル線固定塊に成形され、前記ケーブル線固定塊の前端の中には、金属はめリングが嵌め込まれ、前記金属はめリングが前記外殻体の中に係止されている請求項１記載の電子コネクター。
【請求項４】
前記各信号線連接端子は、溶接段を有し、前記溶接段の前端は湾曲する搭接部を形成し、前記回路板の対応の接点に溶接され、前記信号線連接端子の断面はＬ字形である請求項１記載の電子コネクター。
【請求項５】
前記各信号線連接端子は、前記溶接段の側壁につめ歯が突設され、前記置き槽の中に固く嵌め込まれている請求項１記載の電子コネクター。
【請求項６】
前記信号線承接組立部品の台体は、両相対面上で個別に並列して置き槽が凹設され、前記各置き槽の前端に通し孔が貫通されており、前記信号線連接端子が、前記通し孔から差し込まれ、前記置き槽の中に固く嵌め込まれている請求項１記載の電子コネクター。
【考案の詳細な説明】
【技術分野】
【０００１】
本考案は、電子コネクターに関し、特に信号線承接組立部品を含むコネクターに関する。
【背景技術】
【０００２】
現在信号伝送に応用されている電子コネクターは、下記のものを含む。外殻体、コネクター本体を該外殻体の中に装置し、並びに該コネクター本体の後端に回路板を連設して、一本のケーブル線の中の各信号線を連接する。その中のケーブル線と外殻体との間は、一体成形でケーブル線の外囲のケーブル線固定塊で包まれて接合し、固定されている。これにより、ケーブル線が重覆の折り曲げによって断裂するのを防ぐ機能を提供しているが、プラスチック材で製作したケーブル線固定塊は、その構造強度は不足するため、これによってケーブル線は容易に引きずりを受けて緩んで振り動く。
【０００３】
この外に、図１に示すように、製造上では、一本のケーブル線７１の中の各信号線７１１を取って溶接の方式で直接に連接器本体７２の後側の回路板７３の対応の接点７３１上に溶接して、電子コネクターの組立を完成する。然し上記の習知の電子コネクターは、製造、応用上では、以下のような欠点がある。
【考案の開示】
【考案が解決しようとする課題】
【０００４】
１．信号線７１１を溶接する時では、ただ前端の狭くて小さい端面を回路板７３の対応接点７３１上に溶接するので溶接作業は容易に進行することができない。
２．信号線７１１はただ前端の端面を回路板７３上に溶接しているので、応用上では極めて容易に外力を受けて振り動く、これによって脱落現象を生じる。
【０００５】
しかしながら、上記のように従来の電子コネクターは、信号線を溶接する時は、ただ前端の狭くて小さい端面を回路板上の対応した接点に溶接するので、溶接作業は容易に行なうことができない及び、使用上では容易に外力を受けて振り動いて脱落現象を発生する問題がある。
【０００６】
本考案は上記の点を解決するためになされたものであり、加工が容易で使用時の脱落を防止する外殻体及び信号線承接組立部品を含む電子コネクターを提供する。
【課題を解決するための手段】
【０００７】
本考案は、外殻体と、信号線承接組立部品とを備える電子コネクターであって、前記外殻体は、コネクター本体が前端に取り付けられ、前記コネクター本体の後端に一枚の回路板が連接され、前記信号線承接組立部品は、台体を有し、前記台体には多数の置き槽が凹設され、前記各置き槽の中にそれぞれ信号線連接端子が嵌め込まれ、前記各信号線連接端子の前端が個別に対応的に前記回路板の接点に溶接され、前記台体の置き槽には、それぞれケーブル線のうちの一本の信号線がその中に置き入れられ、前記各信号線と前記置き槽の中に置かれている前記信号線連接端子とが溶接されている電子コネクターである。
【０００８】
該外殻体は、その前端にコネクター本体を取り付けし、該コネクター本体の後端に一枚の回路板を連接する。及び該信号線承接組立部品は台体を含む。該台体上に多数の置き槽を凹設し、並びに各該置き槽の中に、個別に信号線連接端子をその中に嵌め込んで、各該信号線連接端子の前端を個別に対応的に該回路板の対応接点上に溶接する。
その中の該信号線承接組立部品は台体を含んでいて、並びに多数の信号線連接端子を中に嵌め込んでいる。ならびに各信号線連接端子をコネクター内の回路板に対応点と溶接する。且つ該台体上には多数の置き槽が設置されていて、各別に一本の信号線を中に置き、これで各信号線を個別に置き槽の中の信号線連接端子と溶接することができる。
【考案を実施するための最良の形態】
【０００９】
以下、図面に従って本考案の実施例を説明する。
図２〜図６に示すように、本考案の一実施例による電子コネクターは、下記のものを含む。外殻体１０およびコネクター本体２０を備えている。コネクター本体２０は、外殻体１０の前端に取り付けられていて、コネクター本体２０の後端に一枚の回路板３０が連接されている。信号線承接組立部品４０は台体４１を含んでいる。該台体４１には、多数の置き槽４１１が凹設されていて、各該置き槽４１１の中には、個別に信号線連接端子４２が中に嵌め込んでいる。且つ各該信号連接端子４２の溶接段４２１を個別に対応して該回路板３０の対応接点３１に溶接されている。
【００１０】
本実施例の電子コネクターでは、その中の該信号線承接組立部品４０の台体４０は、両相対面上に、個別に並列に置き槽４１１が凹設されていて、並びに各該置き槽４１１の前端に、通し孔４１２が設けられている。これで該信号線連接端子４２が該通し孔４１２から差し込むことができるようにし、並びに該置き槽４１１の中に固く嵌め込まれている。
本実施例で示した信号線承接組立部品４０の台体４１は、その前端に固定突きピン４１３が突設されていて、対応的に該回路板３０の固定止孔３２の中に差し込んで、該台体４１を固く該回路板の上に固定することができる。
【００１１】
図２に示すように、本実施例の電子コネクターは、その中の信号線承接組立部品４０の台体４１の中に嵌め込んだ各信号線連接端子４２が溶接段４２１を含んでいて、該溶接段４２１の前端に湾曲で搭接部４２２を形成し、搭接的に回路板３０の対応接点３１に溶接して、該信号線連接端子４２の断面をＬ字形にさせる。上記の各信号線連接端子４２はその溶接段４２１の側壁上には、つめ歯４２３が突設されていて、該置き槽４１１の中に固く嵌め込まれている。
【００１２】
図５、図６で示す電子コネクターでは、その中のケーブル線５０の前段の外囲は、射出方式で一体にケーブル線固定塊５２を包み、該ケーブル線固定塊５２の前端の中に金属はめリング５３を嵌め込んでいて、該金属はめリング５３が該外殻体１０の中に取り付けられており、該ケーブル線５０と外殻体１０の連接強度を増強し、該ケーブル線５０の振動によって、その所に断裂或いは緩み脱落を発生するのを避けることができる。
上記の該金属はめリング５３のその前端縁は、固定突き縁５８１が突設されている。ケーブル線固定塊５２の前端の間は、間隔があって、該外殻体１０の一枚の突き板１１を中に包み挟むように対応して、該ケーブル線固定塊５２の前端を該外殻体１０の中に固く取り付けることができる。
【００１３】
本実施例の電子コネクターは、下記の構造の特徴がある。
１．信号線承接組立部品４０が増設されているので、台体４１の上に嵌め込んだ信号線連接端子４２と、コネクター本体２０の回路板３０に対応接点の溶接、並びに線号線５１を安定に台体の置き槽４１１に跨って設けた後に、信号線連接端子４２と、大きい接触面積の溶接をするので、これによって溶接作業を更に容易に進行するだけでなく、有効に周知のように信号線で直接回路板上に溶接する場合の容易に脱落する欠点を避けることができる。
【００１４】
２．各信号線５１は、該台体４１の置き槽４１１の中に置かれているので、使用時では、各信号線５１は外力にともなって左、右に振り動く状況を発生することがない。これで信号線５１の断裂等の現象を生じるのを避けることができる。
３．ケーブル線５０の前端のケーブル線固定塊５２の中は、金属はめリング５３がはめ込まれているので、外殻体１０の固定強度を補強する以外に、ケーブル線の振動によって、その所に断裂或いは、緩み脱落を発生するのを避けることができる。
【００１５】
本考案の構想、形状を一部変更した後に生じた効果作用が本明細書と図面を含む範囲である際は、すべて本考案の範囲に属することは当然である。
【図面の簡単な説明】
【００１６】
【図１】周知の電子コネクターのコネクター本体と信号線との溶接状態を示す概略図。
【図２】本考案の一実施例による電子コネクターのコネクター本体と信号線承接組立部品との組立状態を示す概略図。
【図３】本考案の一実施例による電子コネクターを示す分解図。
【図４】本考案の一実施例による電子コネクターの局部分解図。
【図５】本考案の一実施例による電子コネクターのケーブル線と金属はめリングとの関係を示す概略図。
【図６】本考案の一実施例による電子コネクターの平面構造を示す概略図。
【符号の説明】
【００１７】
１０  外殻体、１１  突き板、２０  コネクター本体、３０  回路板、３１  接点、３２  固定止孔、４０  信号線承接組立部品、４１  台体、４１１  置き槽、４１２  通し孔、４１３  固定突き出ピン、４２  信号線連接端子、４２１  溶接段、４２２  搭接部、４２３  つめ歯、５０  ケーブル線、５１  信号線、５２  ケーブル線固定塊、５３  金属はめリング、５３１  固定突き縁
【図１】
0003120490.tif 000003
【図２】
0003120490.tif 000004
【図３】
0003120490.tif 000005
【図４】
0003120490.tif 000006
【図５】
0003120490.tif 000007
【図６】
0003120490.tif 000008